(57)【要約】【課題】本発明は、比較的簡単な構造で製造コストの低減化を図れるとともに、フィルタから塵埃を除去する運転時において消費電力が小さくてすみ、ランニングコストの低減化を得られる天井埋込み形空気調和機のフィルタ装置を提供する。【解決手段】天井裏に配置される筐体２の下面開口部を閉成する化粧パネル７を具備し、吸込み口１２と送風機３との間にフィルタ１４が張られた円盤状のフィルタ組立て１３を配置し、これをフィルタ駆動部１５で回転駆動し、ブラシ２４をフィルタ組立ての半径方向に沿い毛先が接触するように配置し、フィルタ組立ての回転にともないブラシ駆動部５８はブラシを回転駆動してフィルタから塵埃を掻き取らせ、ブラシボックス２０にブラシを収容して掻き落した塵埃を受け、ブラシボックスに塵埃排出口２０６を設け、第１の移動板２９で塵埃受け部に受けた塵埃を塵埃排出口に集中移動させ、ブラシボックスの下方に、塵埃排出口から排出される塵埃を貯留するダストボックス３０を配置する。【選択図】    図２
2010216707.tif 000002
【特許請求の範囲】
【請求項１】
下面が開口し、内部に熱交換器、ドレンパンおよび送風機を収容し、天井板に設けられる取付け用開口部から天井裏に挿入配置される筐体と、
この筐体の下面開口部を閉成するよう取付けられ、中央部に吸込み口を備え、この吸込み口の周辺部に吹出し口を備えた、天井板から室内に露出する化粧パネルと、
を具備する天井埋込み形空気調和機であって、
前記吸込み口と前記送風機との間に配置され、全面に亘ってフィルタが張られた円盤状のフィルタ組立てと、
前記円盤状のフィルタ組立てを、円周方向に回転駆動するフィルタ駆動手段と、
前記円盤状のフィルタ組立ての半径方向に沿うとともに、その毛先が前記フィルタに接触するよう配置されるブラシと、
前記フィルタ駆動手段が作動してフィルタ組立てを回転するのにともない前記ブラシを回転駆動し、ブラシの毛先で前記フィルタに付着している塵埃を掻き取らせるブラシ駆動手段と、
前記ブラシを収容し、ブラシが掻き落した塵埃を受ける塵埃受け部と、
前記塵埃受け部に設けられる塵埃排出口および、塵埃受け部に受けた塵埃を前記塵埃排出口へ集中移動させる第１の塵埃移動手段と、
前記塵埃受け部の下方に配置され、前記塵埃排出口に集中移動させられて、ここから排出される塵埃を受けて貯留する塵埃貯留部と、
を具備することを特徴とする天井埋込み形空気調和機のフィルタ装置。
【請求項２】
前記塵埃貯留部は、前記塵埃受け部の塵埃排出口に挿入し、かつ掛合する塵埃入口部を備え、
この塵埃入口部は、前記塵埃受け部に備えた前記第１の塵埃移動手段の移動位置に応じて開閉する塵埃入口扉を備えた
ことを特徴とする請求項１記載の天井埋込み形空気調和機のフィルタ装置。
【請求項３】
前記塵埃貯留部は、前記塵埃入口扉の開閉にリンクして、前記塵埃入口部から塵埃貯留部内に導かれた塵埃を所定の方向へ移動させ、かつ圧縮状態にして貯留させる第２の塵埃移動手段を備えた
ことを特徴とする請求項１および請求項２のいずれかに記載の天井埋込み形空気調和機のフィルタ装置。
【請求項４】
前記塵埃貯留部は、前記塵埃受け部に対して着脱自在に取付けられ、
前記塵埃受け部は、塵埃貯留部の着脱にともない前記塵埃排出口を開閉する塵埃排出口扉を備えた
ことを特徴とする請求項１ないし請求項３のいずれかに記載の天井埋込み形空気調和機のフィルタ装置。
【請求項５】
前記フィルタ組立ては、前記塵埃受け部と略同じ大きさの遮蔽部を有し、
前記フィルタに付着する塵埃をブラシにより除去したあと、前記塵埃受け部と遮蔽部とが重なり合ったところで前記ブラシに付着している塵埃を除去するブラシ清掃運転を行うようにした
ことを特徴とする請求項１ないし請求項４記載の天井埋込み形空気調和機のフィルタ装置。
【請求項６】
前記塵埃受け部において、前記ブラシ清掃運転のあとに前記第１の塵埃移動手段を移動させ、塵埃受け部にある塵埃を塵埃貯留部に排出するようにした
ことを特徴とする請求項５記載の天井埋込み形空気調和機のフィルタ装置。
【発明の詳細な説明】
【技術分野】
【０００１】
本発明は、天井埋込み形空気調和機に係り、特に吸込んだ室内空気から塵埃を捕捉するフィルタに対して自動清掃機能を備えたフィルタ装置に関する。
【背景技術】
【０００２】
たとえば、店舗や事務所向けの業務用として、取付けによる圧迫感が無く、壁面全面を有効に利用できる天井埋込み形空気調和機が多用されている。その反面、この種の空気調和機においては取付け場所が天井であるゆえに、メンテナンス作業が面倒であることは否定できない。
【０００３】
たとえば、化粧パネルの吸込みグリルに取付けられるフィルタは、吸込んだ室内空気から、室内空気に含まれる塵埃を捕捉して室内の清浄化が得られる。ただし、長期間放置すればフィルタは目詰まりを起し、熱交換効率の低下による空調性能の低下と、ランニングコストの悪化に繋がる。
【０００４】
従来は、脚立等に立って腕を伸ばしてフィルタを取外し、ここに付着する塵埃を除去する作業を行っていたが、労力を要する面倒な作業であるので、怠りがちになってしまう。なお、近年の家庭用の壁掛け形空気調和機においてはフィルタ清掃を自動で行う、フィルタ清掃装置を備えることが一般的になりつつある。
【０００５】
そこで、上記天井埋込み形空気調和機においてもフィルタを自動清掃する機能を備えることが検討されていて、たとえば、［特許文献１］および［特許文献２］には、その一例が開示されている。  
［特許文献１］の空気調和機は、吸込みグリルと熱交換器との間に円盤状のエアフィルタを配設し、エアフィルタを中心周りに回転自在に保持するトレイを設け、エアフィルタ外周部に設けた歯車を介してエアフィルタを回転駆動する駆動装置を備え、エアフィルタに付着した塵埃を吸引する吸引ノズルと吸引装置を備えている。
【０００６】
［特許文献２］の室内機ユニットは、天井に設置される筐体に、室内空気を流入する吸入部を備え、この吸入部に塵埃を捕集するエアフィルタを備え、エアフィルタに付着した塵埃を取除く塵埃除去部と、塵埃除去部が取除いた塵埃を捕集する捕集部を備え、捕集部を筐体から昇降可能に支持する昇降部を備えている。
【先行技術文献】
【特許文献】
【０００７】
【特許文献１】特開２００５−８３６１２号公報
【特許文献２】特開２００７−４０６８９号公報
【発明の概要】
【発明が解決しようとする課題】
【０００８】
［特許文献１］の技術では、フィルタの清掃が完全自動化されて、労力の軽減化を得られる。そして、吸引ノズルの吸引開口を小さく、吸引能力の小さな装置となし、コンパクトな構成であるとともに吸引時に発生する動作音を小さくすることの配慮もなされていると、記載されている。
【０００９】
しかしながら、［特許文献１］において、吸引能力の小さな吸引ノズルで塵埃を完全に集塵除去するには、円盤状フィルタの回転速度を落し、複数回も回転させることで可能となり、時間がかかって効率が悪い。フィルタの回転速度と、吸引ノズルの吸引能力を上げると、吸引にともなう騒音が頭上から降り注ぐことになり、快適性が損なわれる。
【００１０】
［特許文献２］の技術では、昇降部を駆動することで、塵埃除去部および捕集部が目の前に降下してくるので、捕集部を取外し、塵埃を廃棄する作業が容易に行える。そして、塵埃処理後に捕集部を取付けて昇降部を再び駆動すれば、塵埃除去部と捕集部が元の位置に納まり、全ての作業が速やかに終了する。
【００１１】
しかしながら、［特許文献２］の塵埃除去部は、平面矩形状に形成されるフィルタに対して往復移動しながら回転駆動される回転ブラシが用いられる。機構的に複雑であり、回転ブラシの軸方向長さはフィルタの幅寸法に対応しているので、フィルタから塵埃を除去する際の抵抗が大となり、ブラシ回転駆動源であるモータの消費電力が大きくなる。
【００１２】
本発明は上記事情にもとづきなされたものであり、その目的とするところは、比較的簡単な構造で製造コストの低減化を図れるとともに、エアフィルタから塵埃を除去する運転時において消費電力が小さくてすみ、ランニングコストの低減化を得られる天井埋込み形空気調和機のフィルタ装置を提供しようとするものである。
【課題を解決するための手段】
【００１３】
上記目的を満足するため本発明は、下面が開口し内部に熱交換器、ドレンパンおよび送風機を収容し天井板に設けられる取付け用開口部から天井裏に挿入配置される筐体と、この筐体の下面開口部を閉成するよう取付けられ中央部に吸込み口、周辺部に吹出し口を備え天井板から室内に露出する化粧パネルとを具備する天井埋込み形空気調和機であり、全面に亘ってフィルタが張られた円盤状のフィルタ組立てを吸込み口と送風機との間に配置し、フィルタ駆動手段で円盤状のフィルタ組立てを円周方向に回転駆動し、ブラシをフィルタ組立ての半径方向に沿うとともに毛先がフィルタに接触するよう配置し、フィルタ駆動手段が作動してフィルタ組立てを回転するのにともないブラシ駆動手段はブラシを回転駆動してブラシの毛先でフィルタに付着している塵埃を掻き取らせ、塵埃受け部はブラシを収容してブラシが掻き落した塵埃を受け、塵埃受け部に塵埃排出口を設けるとともに塵埃受け部に受けた塵埃を塵埃排出口部へ集中移動させる第１の塵埃移動手段を設け、塵埃受け部の下方に塵埃貯留部を配置して塵埃排出口部に集中移動さて排出される塵埃を貯留する、フィルタ装置を備えた。
【発明の効果】
【００１４】
本発明によれば、比較的簡単な構造で製造コストの低減化を図れるとともに、エアフィルタから塵埃を除去する運転時において消費電力が小さくてすみ、ランニングコストの低減化を得られる等の効果を奏する。
【図面の簡単な説明】
【００１５】
【図１】本発明における一実施の形態に係る、フィルタ装置を備えた天井埋込み形空気調和機の概略断面図。
【図２】同実施の形態に係る、天井埋込み形空気調和機およびフィルタ装置を分解した斜視図。
【図３】同実施の形態に係る、フィルタ組立ての斜視図と、フィルタ組立てを分解した斜視図。
【図４】同実施の形態に係る、清掃ユニットフレームに取付けられるフィルタ組立ての斜視図と、フィルタ組立て一部とフィルタ駆動部を拡大して示す斜視図。
【図５】同実施の形態に係る、フィルタ装置の一部を分解した斜視図。
【図６】同実施の形態に係る、図５の一部を拡大した斜視図。
【図７】同実施の形態に係る、ブラシボックスの一部を分解した斜視図。
【図８】同実施の形態に係る、ブラシボックスの一部を省略して内部を示す斜視図。
【図９】同実施の形態に係る、ブラシボックス用駆動部および周辺部に対してブラシボックスを分離して示す斜視図。
【図１０】同実施の形態に係る、ブラシボックス用駆動部とブラシボックスとを分離して示す斜視図。
【図１１】同実施の形態に係る、ブラシボックス用駆動部にブラシボックスを組立てた状態の斜視図。
【図１２】同実施の形態に係る、ブラシとブラシ受け板との関係を示す斜視図。
【図１３】同実施の形態に係る、ブラシボックスとダストボックスを分離した斜視図と、同状態でブラシボックスとダストボックスの一部を拡大した斜視図と、ブラシボックスにダストボックスを組立てた状態を示す斜視図。
【図１４】同実施の形態に係る、ブラシボックス内部の斜視図。
【図１５】同実施の形態に係る、第１の移動板の移動開始状態と、第１の移動板が塵埃を塵埃排出口へ落とす状態を説明する図。
【図１６】同実施の形態に係る、ブラシボックスとダストボックス内における塵埃処理を順に説明する図。
【図１７】同実施の形態に係る、ダストボックス内における塵埃処理を説明する図。
【発明を実施するための形態】
【００１６】
以下、本発明の実施の形態を、図面にもとづいて説明する。（なお、文中に符号の付していない構成部品および構成部位については図示していない。また、図の煩雑さを避けるために意図して構成部品および構成部位に符号を付していない場合もある）  
図１は本発明の一実施の形態に係る天井埋込み形空気調和機の概略断面図、図２は天井埋込み形空気調和機を分解した斜視図である。
【００１７】
天井埋込み形空気調和機Ｓは、室内機として、室内側から天井板１に設けられた取付け用開口部１ａに挿入され、吊り下げボルト等を介して、いわゆる天井裏に吊持固定される。屋外に配置される室外機とは冷媒管を介して接続され、冷凍サイクルを構成する。  
室内機本体である筐体２は、下面部全てが開口し、上面部と側面部に金属薄板を組立て加工してなるケーシング２ａと、このケーシング２ａの内周面に取付けられる発泡スチロール材等の断熱材２ｂからなり、断熱構造をなしている。
【００１８】
前記筐体２内部の中央部には送風機３が配置され、この送風機３を囲むようにして平面視で四角枠状に一体形成される室内熱交換器４が配置される。室内熱交換器４は断熱材からなるドレンパン５上に載置され、室内熱交換器４の上端部は筐体２を構成する断熱材２ｂに接している。
【００１９】
換言すれば、室内熱交換器４はドレンパン５と筐体断熱材２ｂとの間に挟持状態にあり、室内熱交換器４とドレンパン５および、室内熱交換器４と筐体断熱材２ｂとの間に少しの隙間もない。ドレンパン５は、室内熱交換器４の熱交換作用にともなって生成されるドレン水を受け、ドレンポンプとドレンホースを介してドレン水を屋外へ排水できる。
【００２０】
ドレンパン５は断熱材からなるチャンバ６上に載り、このチャンバ６は合成樹脂材から成形され下面が美麗に仕上げられた化粧パネル７上に載って、化粧パネル７とチャンバ６および筐体２は一体構造化されている。筐体２とチャンバ６の外形寸法形状は互いに同一であるのに対して、化粧パネル７の外形はチャンバ６、筐体２よりも外方へ突出する。
【００２１】
したがって、筐体２とチャンバ６が天井板１に設けられた取付け用開口部１ａに挿入されて天井裏に突出し、化粧パネル７は天井板１から室内側に露出して、筐体２およびチャンバ６と天井板１の取付け用開口部１ａとの隙間を遮蔽する。  
チャンバ６は略矩形状の開口部を備え、略四角枠状をなす。チャンバ６の上下両面を貫通して複数の吹出し口８が設けられ、筐体断熱材２ｂの室内熱交換器４外周部に沿って設けられる吹出し口と連通する。
【００２２】
化粧パネル７もチャンバ６の開口部と同一寸法形状の開口部を備え、外形も矩形状をなす平面板である。化粧パネル７には、チャンバ６の吹出し口８と連通する吹出し口８が設けられていて、この吹出し口８には吹出される熱交換空気の吹出し方向を設定するルーバーが設けられる。
【００２３】
化粧パネル７には、吸込みグリル１０と連結するグリル昇降機構１１が設けられる。前記グリル昇降機構１１は、回転軸にドラムを取付けた正逆回転駆動自在な駆動モータと、ドラムに巻き付けられ一端を吸込みグリルに固定されたワイヤとからなり、駆動モータの回転方向の切換えにともない、吸込みグリル１０を昇降駆動できる。
【００２４】
前記送風機３は、ケーシング２ａの上面部に取付け固定されるファンモータと、このファンモータの回転軸に取付けられるファンとからなる。前記ファンは、回転にともない回転軸方向から空気を吸込んで周方向へ吹出す送風作用をなす、多翼形ファンである。  
したがって、ファンの回転軸方向である、筐体２とケーシング２ａおよび化粧パネル７の中央部に形成される開口部が吸込み口１２となる。吸込み口１２と送風機ファンとの間に亘ってベルマウスＭが設けられていて、このベルマウスＭは前記ドレンパン５により囲まれる位置にある。
【００２５】
前記熱交換器４は、送風機ファンの吹出し方向である周方向に対向して配置される。したがって、ファンから周方向へ吹出された室内空気は熱交換器４を流通したあと、筐体２とチャンバ６および化粧パネル７に連通する吹出し口８に導かれて室内へ吹出されるようになっている。
【００２６】
前記ドレンパン５には、制御用電気部品を実装し、制御回路がプリント配線された制御基板を収容する電気部品箱が取付けられている。すなわち、これらで室内機に搭載される電気部品を制御するための制御装置を構成する。
【００２７】
この天井埋込み形空気調和機Ｓには、後述するフィルタ装置Ｆが取付けられる。フィルタ装置Ｆは、円盤状のフィルタ組立て１３と、フィルタ組立て１３の半径方向に沿って設けられるブラシボックス（塵埃受け部）２０と、ブラシボックス２０に一端部が重なり合うよう吸込みグリル１０に取付けられるダストボックス（塵埃貯留部）３０を備える。
【００２８】
さらにフィルタ装置Ｆは、フィルタ組立て１３を回転自在に支持し、化粧パネル７の開口部に嵌め込み固定される清掃ユニットフレーム４０を備えている。ダストボックス３０を支持し、上述したグリル昇降機構１１により昇降駆動される吸込みグリル１０は、フィルタ装置Ｆを構成しない。
【００２９】
なお説明すると、フィルタ組立て１３は化粧パネル７の吸込み口１２に設けられる吸込みグリル１０と、筐体２内の中央部に位置する送風機３との間に配置される。フィルタ組立て１３の下面全面に亘ってフィルタ１４が張られ、フィルタ組立て１３はフィルタ駆動部（フィルタ駆動手段）１５によって周方向に回転駆動されるようになっている。
【００３０】
フィルタ組立て１３の周端部が、清掃ユニットフレーム４０に形成される円形状の立上り壁４０ａ上端に載り、回転自在に支持される。ブラシボックス２０一端部と清掃ユニットフレーム４０の立上り壁４０ａを挟んだ位置に、ブラシボックス用駆動部５０が配置される。
【００３１】
ブラシボックス２０の一端部は、清掃ユニットフレーム４０の立上り壁４０ａを介してブラシボックス用駆動部５０に支持される。ブラシボックス２０の他端部は、フィルタ組立て１３の中心部に取付け具（手回し用ねじ）を介して取付け支持される。なお、フィルタ組立て１３自体は周方向に回転駆動されるが、中心部は回転せず固定である。  
グリル昇降機構１１のワイヤが巻き上げられた状態で、吸込みグリル１０は清掃ユニットフレーム４０に密に接触して化粧パネル７等に形成される吸込み口１２を覆う。吸込みグリル１０は矩形状をなし、この一辺部に沿ってダストボックス３０が取付けられる。
【００３２】
図２にのみ示すように、清掃ユニットフレーム４０にはフィルタ装置Ｆを駆動制御するためのフィルタ制御器６０が取付けられる。また、フィルタ装置Ｆ外部には天井埋込み形空気調和機Ｓの運転と停止および運転切換え等の遠隔操作をなす、遠隔操作盤であるリモートコントローラ（以下、「リモコン」と呼ぶ）Ｒが備えられる。
【００３３】
以上が天井埋込み形空気調和機Ｓと、ここに備えられるフィルタ装置Ｆの概略構成である。つぎに、フィルタ装置Ｆについて詳細に説明する。  
図３（Ａ）はフィルタ組立て１３の斜視図、図３（Ｂ）はフィルタ組立てを分解した斜視図である。
【００３４】
前記フィルタ組立て１３は、中心部から半径方向に所定の間隔を存して設けられる円形枠１６ａと、最も内径側の円形枠１６ａから最も外径側の円形枠１６ａに亘って半径方向に円形枠１６ａを連結する、放射状に設けられた複数本の連結枠１６ｂとからなる円形状の枠体１６を備えている。
【００３５】
予め、円形状の枠体１６は半円状の半枠体Ｗに２分割され、互いの合せ面で最も外周側端部に取付けられる取付け具を介して互いに取付けられ、一体化している。枠体１６の中心部に受けボス１７が設けられ、この受けボス１７には後述するようにブラシボックス２０の一端部を支持するためのねじ部が設けられる。
【００３６】
このような枠体１６の、図における下面にフィルタ１４が取付けられる。さらに、フィルタ１４が取付けられる下面で、半枠体Ｗ相互が合せられる連結枠１６ｂに沿い、かつ最も内径側円形枠１６ａから最も外径側円形枠１６ａに亘ってブラシ受け板（遮蔽部）１８が設けられる。
【００３７】
したがって、枠体１６の図における下側全面は、フィルタ１４および、フィルタ組立て１３の半径方向に沿って合せられたブラシ受け板１８で覆われる。ここでは詳細に示していないが、それぞれのブラシ受け板１８には、長手方向である枠体１６の半径方向に沿って断面円弧状の凹部が設けられている。
【００３８】
枠体１６の外周面には受けギヤ部１９が嵌め込まれている。受けギヤ部１９は、所定の曲率半径の円弧状ギヤ部を繋ぎ合せて円環状としたものであり、この内周面が枠体１６外周面に嵌め込まれ、この外周面に沿ってギヤが形成される。特に、受けギヤ部１９は、耐摩耗性に優れた合成樹脂材（ポリアミド、ポリアセタール等）からなる。
【００３９】
図２のみに示すように、フィルタ装置Ｆとして組立てられた状態で、フィルタ組立て１３の上面側（フィルタ１４が張られていない面）に、板金材からなるフィルタ押えＰが接している。フィルタ押えＰは枠体１６の中心部を通り、両側端部は最も外周側の円形枠から突出する直状の板片であり、両側端部は後述するように取付け固定される。
【００４０】
図４（Ａ）は清掃ユニットフレーム４０にフィルタ組立て１３を取付けた状態の斜視図、図４（Ｂ）はフィルタ組立て１３一部とフィルタ駆動部１５とを拡大して示す斜視図である。なお、図２も参照すると理解が早い。  
上記清掃ユニットフレーム４０は、円形状の立上り壁４０ａを備えている。フィルタ組立て１３を構成する受けギヤ部１９は、この下面が円形状の立上り壁４０ａ上端に載り、フィルタ組立て１３全体が清掃ユニットフレーム４０に回転自在に支持される。
【００４１】
清掃ユニットフレーム４０において立上り壁４０ａから外側は、矩形状のフランジ部４０ｂが一体に成形される。フランジ部４０ｂの周縁に沿って矩形状の立上り片ａが設けられ、フランジ部４０ｂの一方の隅部で、円形状立上り壁４０ａと矩形状立上り片ａとの間に、上記フィルタ駆動部１５が取付けられる。
【００４２】
特に図４（Ｂ）に示すように、前記フィルタ駆動部１５は、取付け基板１５ａの一面側に取付けられる２個の駆動モータ１５Ｍと、他面側に取付けられ駆動ギヤ１５Ｇと複数のギヤの組合せからなるギヤ組立て１５Ｋを備えている。  
スペース的に余裕が無いのでフィルタ駆動部１５を小型化し、駆動ギヤ１５Ｇのギヤ径は小さい。これに対して、フィルタ組立て１３の受けギヤ部１９直径は充分に大であるので、フィルタ組立て１３を確実に回転駆動するトルクを保持するために、駆動モータ１５Ｍは１個では足りず、２個備えている。
【００４３】
前記フィルタ駆動部１５と、フィルタ組立て１３の中心部を介して１８０度対向する位置に、前記ブラシボックス用駆動部５０が取付けられている。なお説明するとブラシボックス用駆動部５０は、円形状立上り壁４０ａと矩形状立上り片ａとの間で、フランジ部４０ｂの隅部に配置されていて、この詳細については後述する。
【００４４】
これらフィルタ駆動部１５とブラシボックス用駆動部５０とを結ぶ線の中心部から９０度対向する清掃ユニットフレーム４０の隅部に、前記フィルタ制御器６０が取付けられる。このフィルタ制御器６０は、前記駆動モータ１５Ｍ等のフィルタ装置Ｆを構成する電動部品を制御するためのものである。
【００４５】
再び図２に示すように、ブラシボックス２０は清掃ユニットフレーム４０の円形状立上り壁４０ａから、この内側の開口部へ突出している。前記フィルタ押えＰは、一端部がフィルタ駆動部１５上面に取付け固定され、他端部がブラシボックス用駆動部５０上面に取付け固定される。
【００４６】
図５は化粧パネル７に対してフィルタ組立て１３と清掃ユニットフレーム４０を組立て、かつブラシボックス２０を取外して示す斜視図であり、図６は図５の一部を拡大して示す斜視図である。  
前記ブラシボックス２０は、フィルタ組立て１３の半径方向に沿って設けられる前記ブラシ受け板１８と略同一の長手方向寸法で、所定の幅寸法および高さ寸法を有する矩形状の筒体である。清掃ユニットフレーム４０の円形状立上り壁４０ａに対する端部のみ、他の部分よりも幅寸法が大に形成される。
【００４７】
特に図６に示すように、清掃ユニットフレーム４０の円形状立上り壁４０ａには２個の連結用孔５５ａ，５７ａが設けられる。これら連結用孔５５ａ，５７ａにブラシボックス２０端面から突出する回転軸が挿入し掛合することで、ブラシボックス２０の一端部が清掃ユニットフレーム４０を介して上記ブラシボックス用駆動部５０に支持される。
【００４８】
前記連結用孔５５ａ，５７ａと、ブラシボックス２０端面から突出する回転軸および、ブラシボックス用駆動部５０については後述する。ブラシボックス２０の他端部に、取付け用孔ｂが穿設される半円状の取付け用突起部２１が設けられる。  
この取付け用突起部２１に手回しねじ２２を挿入し、かつこの手回しねじ２２をブラシ組立て１３の中心部に設けられる前記受けボス１７のねじ部に螺挿することで、ブラシボックス２０の他端部を支持できる。
【００４９】
図７はブラシボックス２０の一部を分解して示す斜視図であり、図８はブラシボックス２０の一部を省略し、見上げた状態にして示す斜視図である。  
図７に示すように、ブラシボックス２０自体は上面側が開口する、略角筒体である。この幅方向の中央部にねじ棒カバー２３があり、ねじ棒カバー２３の両側部に沿って２本のブラシ２４が、それぞれブラシボックス２０の長手方向に沿って支持される。
【００５０】
ブラシボックス２０の取付け用突起部２１側の端部において、２本のブラシ２４は軸受具に回転自在に支持される。ブラシボックス２０の幅広側の端部にはブラシ機構部２５が設けられていて、ここに２本のブラシ２４端部が連結される。  
図８に示すように、ブラシボックス２０の一端部から他端部に亘ってねじ棒２６が設けられている。このねじ棒２６は、２本のブラシ２４の間に設けられる前記ねじ棒カバー２３によって下面側のみ開口するようにカバーされ、この端部もブラシ機構部２５に連結される。
【００５１】
ねじ棒２６にはナット２７が螺合しており、ナット２７の一端部に掻き落し板２８が、他端部に第１の移動板（第１の塵埃移動手段）２９が取付けられる。ねじ棒２６が回転駆動されると、ナット２７がねじ棒２６の軸方向に沿って移動し、ナット２７に取付けられる掻き落し板２８と第１の移動板２９が同時に移動するようになっている。
【００５２】
第１の移動板２９は、移動面の左右両側部に作動用突起ｔが設けられ、下端縁はブラシボックス２０の底面壁に略接触し、両側縁はブラシボックス２０の両側面壁に略接触状態にあり、ブラシ２４とは接触しないよう逃げ用の凹部が設けられる。掻き落し板２８の端部はブラシ２４の毛先内に挿入し、ブラシボックス２０の壁面とは離間している。
【００５３】
ブラシ２４が回転するとともに掻き落し板２８を移動することで、ブラシ２４の毛先に付着する異物を掻き落すことができる。各ブラシ２４の軸方向に沿って、先端がブラシ２４の毛先内に挿入するクシ２８Ａが設けられる。クシ２８Ａは固定であり、ブラシ２４が回転したときのみ、ブラシ２４の毛先に付着する異物を除去できる。
【００５４】
図９はブラシボックス用駆動部５０からブラシボックス２０を分離して示す斜視図、図１０は同状態でかつブラシボックス用駆動部５０とブラシボックス２０内部を示す斜視図、図１１はブラシボックス用駆動部５０とブラシボックス２０とを組立てた状態の斜視図である。
【００５５】
いずれも、ブラシボックス２０は一端部のみを示し他端部は省略している。ねじ棒２６にナット２７を介して取付けられる掻き落し板２８と第１の移動板２９は、ブラシボックス２０の他端部に位置していて、ここでは図示していない。
【００５６】
ブラシボックス２０のブラシ機構部２５にねじ棒２６の一端部が挿入され、第１の回転軸２０２として端面から突出する。また、ブラシ機構部２５に２本のブラシ２４の一端部が挿入され、ギヤ組立て２０３を介し第２の回転軸２０４として端面から突出する。第１の回転軸２０２と第２の回転軸２０４は、上下方向に所定間隔を存して並ぶ。
【００５７】
ブラシボックス用駆動部５０は、複数の駆動モータ５１を収容する動力源収容室５２と、ギヤ組立て５３を収容するギヤ室５４とに区画される。１個の駆動モータ５１はギヤ組立て５３を介して第１の連結具５５に連結し、残りの複数の駆動モータ５１はギヤ組立て５３を介して第２の連結具５７に連結する。
【００５８】
１個の駆動モータ５１とギヤ組立て５３および第１の連結具５５で移動板駆動部５６が構成される。複数の駆動モータ５１とギヤ組立て５３および第２の連結具５７でブラシ駆動部５８が構成される。すなわち、ブラシボックス用駆動部５０は、移動板駆動部５６と、ブラシ駆動部５８とから構成される。
【００５９】
第１の連結具５５と第２の連結具５７に設けられる連結用孔５５ａ，５７ａは、上下方向に所定間隔を存して並び、清掃ユニットフレーム４０の立上り壁４０ａに開口する。そこで、第１の回転軸２０２を第１の連結具５５の連結用孔５５ａに挿入し、第２の回転軸２０４を第２の連結具５７の連結用孔５７ａに挿入する。
【００６０】
このことにより、ブラシボックス２０の一端部がブラシボックス用駆動部５０に支持される。同時に、ブラシボックス２０に収容されるねじ棒２６が移動板駆動部５６と機械的に連結され、ブラシボックス２０に収容されるブラシ２４がブラシ駆動部５８と機械的に連結される。
【００６１】
ここでも、２本のブラシ２４を同時に回転駆動するのに必要なトルクを確保するため、ブラシ駆動部５８に複数の駆動モータ５１を備えている。これに対して、ねじ棒２６は１本しかないので小さなトルクですみ、移動板駆動部５６は１個の駆動モータ５１を備えている。
【００６２】
一方、ブラシボックス２０におけるブラシ機構部２５側の端部底面に、塵埃排出口扉２０５によって開閉される塵埃排出口２０６が設けられる。図５および図６にも、ブラシボックス２０の一端部底面に、長手方向が短く、幅方向に長い矩形状の塵埃排出口２０６が塵埃排出口扉２０５により閉成された状態を示している。
【００６３】
図９，図１１も同様に、塵埃排出口２０６が塵埃排出口扉２０５により閉成された状態を示し、図１０のみ塵埃排出口扉２０５が回動し塵埃排出口２０６を開放している。塵埃排出口扉２０５は、ブラシ機構部２５側の端縁に沿ってヒンジ部を備え、反対側の端縁を自由端として上方へ回動自在となっている。
【００６４】
図１２は、ブラシボックス２０に収容される２本のブラシ２４と、フィルタ組立て１３に設けられるブラシ受け板１８との関係を示す図である。ここでは、フィルタ組立て１３に設けられるフィルタ１４を省略して示している。  
フィルタ装置Ｆの組立て時および、通常の空調運転時は、ブラシボックス２０とブラシ受け板１８とが正しく対向した位置にあり、この状態を先に図２、図５および図６にも示している。換言すれば、フィルタ装置Ｆとして作動していない初期位置では、ブラシ受け板１０がブラシボックス２０に対向するよう設定されている。
【００６５】
このとき図１２に示すように、２本のブラシ２４の毛先が、ブラシ受け板１８に形成される凹部に接触しない程度に突出している。そのため、フィルタ装置Ｆの初期位置では、ブラシ２４の毛先を曲げるようなストレスがかかっておらず、初期位置の期間が長くてもブラシ２４の変形はない。
【００６６】
後述するように、フィルタ駆動部１５がフィルタ組立て１３を回転駆動すると、フィルタ組立て１３に設けられるブラシ受け板１８が初期位置からずれて所定方向に移動する。したがって、ブラシ２４はフィルタ受け板１８との対向位置からずれてフィルタ１４と接触する。設計上は、ブラシ２４の毛先１〜２ｍｍの部分がフィルタ１４に接触する。
【００６７】
このようなブラシボックス２０に対し、先に図２で説明したように、吸込みグリル１０に取付けられるダストボックス３０の一部が接触して取付けられる。なお説明すると、ダストボックス３０は吸込みグリル１０の一辺部に沿って取付けられるのに対して、ブラシボックス２０はフィルタ組立て１３の中心部から半径方向に沿って取付けられる。
【００６８】
したがって、ダストボックス３０とブラシボックス２０は一端部のみが重なり合い、互いの他端部は互いに異なる方向に延出される。ダストボックス３０はブラシボックス２０との接触部分の厚み寸法が、他の部分よりも薄く、この上面部に後述する塵埃入口部３１が突設される。
【００６９】
ダストボックス３０の他の部分は、組合わされた状態でブラシボックス２０の上面部と略同一程度の高さ寸法に形成される。厚み寸法の厚い部分における上面部は、蓋体３０ａが着脱自在に取付けられている。この蓋体３０ａは上面部のほとんど大部分を占めていて、必要に応じて容易に取外しでき、また取付けもワンタッチで確実に行える。
【００７０】
図１３（Ａ）は組立てられたブラシボックス２０に対して吸込みグリル１０に備えたダストボックス３０を分離して示す斜視図、図１３（Ｂ）は同状態でブラシボックス２０とダストボックス３０の一部を拡大した斜視図、図１３（Ｃ）はブラシボックス２０にダストボックス３０を組立てた状態を示す斜視図である。
【００７１】
なお、説明の便宜上、図１３（Ａ）でブラシボックス２０の塵埃排出口扉２０５を回動し、塵埃排出口２０６を開放した状態を示している。実際には図１３（Ｂ）に示すように、ブラシボックス２０からダストボックス３０を分離した状態で、塵埃排出口扉２０５は塵埃排出口２０６を閉成している。
【００７２】
前記塵埃入口部３１は、ダストボックス３０上面部に一体に突設されていて、この基端部はダストボックス３０内部に対して開口する。そして塵埃入口部３１は、上端が水平な辺部と、２つの対向する傾斜辺部とで断面略山形状をなし、ブラシボックス２０底面部の塵埃排出口２０６に挿入可能な寸法形状をなしている。
【００７３】
塵埃入口部３１を形成する傾斜辺部は、一方の傾斜辺部のみ開口３１ａされ、この傾斜開口部３１ａに塵埃入口扉３２が開閉自在に取付けられる。塵埃入口扉３２のヒンジ部は塵埃入口部３１の上端内部に設けられ、ここには戻しばねが装着されて、傾斜開口部３１ａを閉成する方向に弾性的に回動付勢している。
【００７４】
さらに、塵埃入口扉３２の下端縁に掛止片が一体に突設されていて、ダストボックス３０内部で、塵埃入口部３１の直下部に設けられる第２の移動板（第２の塵埃移動手段）３３の上端部に掛止している。このことにより、塵埃入口扉３２の回動にともない、掛止片を介して第２の移動板３３に回動力を伝達できるようになっている・
第２の移動板３３の一側部に回動軸３４が設けられていて、この回動軸３４には戻しばねが装着され、第２の移動板３３を所定方向に回動するよう弾性的に付勢している。第２の移動板３３の上端縁はダストボックス３０上部壁に略接触状態にあり、下端縁はダストボックス３０底面壁に略接触状態にある。
【００７５】
第２の移動板３３は、常時は、ダストボックス３０の高さ寸法の薄い部分を一側部から他側部まで、ダストボックス３０内を斜めに横断して保持する。回動付勢されることで、戻しばねの弾性力に抗して塵埃入口部３１の直下部を越え、ダストボックス３０端面および塵埃入口部３１の直下部と間隙を存して並行な姿勢に変る。
【００７６】
第２の移動板３３に対する回動付勢力が無くなれば、戻りばねの作用により、ダストボックス３０の塵埃入口部３１直下部を越え、再びダストボックス３０内部を斜め横断する姿勢に戻されるようになっている。
【００７７】
フィルタ装置Ｆを組立てるにあたって、吸込みグリル１０を降下した位置で図１３（Ａ）に示すように、上記構造のダストボックス３０を吸込みグリル１０の所定の部位に取付けて、吸込みグリル１０を上昇駆動する。ダストボックス３０とブラシボックス２０とが近接した位置まで、吸込みグリル１０を上昇させたら、一旦、上昇を停止する。
【００７８】
この状態で図１３（Ｂ）に示すように、ダストボックス３０の塵埃入口部３１をブラシボックス２０の塵埃排出口２０６に正しく対向させる。このときはまだ、塵埃排出口２０６は塵埃排出口扉２０５によって閉成されている。そして、再び吸込みグリル１０の上昇を再開する。
【００７９】
図１３（Ｃ）に示すように、塵埃入口部３１の上端部から塵埃排出口２０６に挿入し、塵埃排出口扉２０５に接触して押上げる。ダストボックス３０は塵埃入口部３１のみがブラシボックス２０の内部に挿入し、かつこの周辺のダストボックス３０一端部のみがブラシボックス２０に密着する。
【００８０】
このような天井埋込み形空気調和機Ｓにおいて、送風機３を駆動することにより、空内空気が吸込みグリル１０とフィルタ組立て１３を流通する。室内空気に含まれる塵埃は、フィルタ組立て１３に設けられたフィルタ１４に捕捉される。清浄化した室内空気はベルマウスＭに案内され、送風機３の回転軸方向から吸込まれ周方向へ吹出される。
【００８１】
室内空気は室内熱交換器４を流通して熱交換され、冷房運転時には冷気に変り、暖房運転時には暖気に変る。この熱交換空気は、室内熱交換器４と筐体断熱材２ｂとの間隙に沿って導かれ、化粧パネル７に形成される複数の吹出し口８から室内へ吹出される。したがって、室内に対する空調作用が効率よく行われる。
【００８２】
長期間の使用に亘るとフィルタ１４に捕捉した塵埃が厚く積もり、そのままでは目詰まりを起して室内空気の流通が阻害され、熱交換器４の熱交換効率に悪影響を及ぼす。そこで、適宜期間、もしくは定期的にフィルタ装置Ｆを作動してフィルタの塵埃を除去する。
【００８３】
このときは、リモコンＲに設けられる、「フィルタお掃除ボタン」をオンする。もしくは、フィルタ装置Ｆに備えられるフィルタ制御器６０のタイマ機能が作用し、自動的にフィルタ掃除スタートオンの信号を出す。  
フィルタ制御器６０からフィルタ駆動部１５とブラシ駆動部５８に駆動信号が送られる。フィルタ駆動部１５においては、駆動モータ１５Ｍが駆動を開始し、ギヤ組立て１５Ｋの駆動ギヤ１５Ｇを回転駆動する。
【００８４】
駆動ギヤ１５Ｇに噛合するフィルタ組立て１３の受けギヤ部１９が順次周方向へ送られ、フィルタ組立て１３が回転してブラシ受け板１８がブラシボックス２０のブラシ２４から離間し、代ってフィルタ１４がブラシ２４に接触する。  
同時に、ブラシボックス用駆動部５０が作動を開始する。具体的には、ブラシ駆動部５８のみ作動を開始して２本のブラシ２４は同時に回転駆動され、移動板駆動部５６は停止状態を継続する。
【００８５】
フィルタ１４の移動と、フィルタ１４に摺接するブラシ２４の回転駆動により、フィルタ１４に付着していた塵埃はブラシ２４によって掻き落されてブラシボックス２０内に落下する。ブラシボックス２０に取付けられるクシ２８Ａは、常時、ブラシ２４の毛先に接触しているので、フィルタ１４からブラシ２４に移動した塵埃を掻き落す。
【００８６】
フィルタ駆動部１５がフィルタ組立て１３を１回転駆動し、２本のブラシ２４の毛先が再びブラシ受け板１８に対向する位置に戻る間は、各ブラシ２４がフィルタ１４から効率よく塵埃を掻き落してブラシボックス２０内に落下させる。したがって、フィルタ１４は目詰まりの無い、初期状態に戻る。
【００８７】
２本のブラシ２４はフィルタ組立て１３の下部に設けられていて、フィルタ１４に摺接し塵埃を除去しながらフィルタ組立て１３を押上げる。フィルタ組立て１３にとっては、受けギヤ部１９が清掃ユニットフレーム４０の立上り壁４０ａから浮き上がる方向への力を受けることになる。  
しかしながら、フィルタ組立て１３の上面側にフィルタ押えＰを備えたので、フィルタ組立て１３の浮き上がりが規制される。フィルタ組立て１３は清掃ユニットフレーム４０に確実に支持され、常に円滑な回転を継続する。
【００８８】
フィルタ組立て１３が１回転し、ブラシ受け板１８がブラシ２４と対向する位置に戻ったら、フィルタ制御器６０はフィルタ駆動部１５の作用を停止させる。ブラシ駆動部５８への駆動信号は継続して送り、各ブラシ２４の回転駆動を継続する。  
ブラシ２４はブラシ受け板１８の凹部位置で回転するので、毛先にストレスがかからず、変形の虞れが無い。同時に、クシ２８Ａは継続してブラシ２４の毛先に付着している塵埃を除去する。
【００８９】
このタイミングでフィルタ制御器６０は、ブラシボックス用駆動部５０を構成する移動板駆動部５６に駆動信号を送る。  
図１４は、フィルタ１４から塵埃を除去してブラシボックス２０内に落とした状態の、ブラシボックス２０の断面図であり、先に図５等に示した状態とは左右逆にして描いている。
【００９０】
ここでは、ブラシボックス２０の右側部に塵埃排出口２０６と、この塵埃排出口２０６を開放する塵埃排出口扉２０５があり、左側部に第１の移動板２９が対向位置している。そして、ブラシボックス２０の底面部には、フィルタ１４から除去した塵埃Ｇが溜まっている。
【００９１】
図１５（Ａ）は第１の移動板２９の移動開始を説明する図、図１５（Ｂ）は第１の移動板２９が塵埃を塵埃排出口２０６へ落とす状態を説明する図であり、いずれもブラシボックス２０のみを対象として図示している。  
フィルタ制御器６０から移動板駆動部５６へ駆動信号が送られると、図１５（Ａ）に示すように、ブラシボックス２０に設けられるねじ棒２６が回転駆動され、このねじ棒２６に螺合するナット２７が移動を開始する。実際には、ナット２７の進行方向側に掻き落し板２８があって第１の移動板２９を先導する。
【００９２】
ブラシ駆動部５８は継続して各ブラシ２４を回転駆動しており、掻き落し板２８はブラシ２４の全周から確実に塵埃を掻き落し、ブラシ２４に対する清掃運転をなす。上述したように、第１の移動板２９の両側縁はブラシボックス２０の両側部内面に略接触状態にあり、下端縁はブラシボックス２０の底面部に略接触状態にある。
【００９３】
第１の移動板２９はブラシ２４から掻き落した塵埃と、ブラシボックス２０底面上に落下し溜まった塵埃を、全て押し出しながら移動する。このようにして、掻き落し板２８によるブラシ２４に対する清掃運転と、第１の移動板２９による塵埃を所定の部位へ押し出す作用が同時に行われる。
【００９４】
図１５（Ｂ）に示すように、第１の移動板２９がブラシボックス２０の他端部に形成される塵埃排出口２０６に到達したところで、第１の移動板２９の移動を停止するよう制御される。第１の移動板２９によって押し出されてきた塵埃は、塵埃排出口扉２０５が開放されているので、図中破線矢印に示すように塵埃排出口２０６から落下する。
【００９５】
実際には、図１６および図１７に示すように作動する。  
図１６（Ａ）ないし（Ｃ）はブラシボックス２０とダストボックス３０内における塵埃処理を順に説明する図であり、図１７（Ａ）ないし（Ｃ）は、ダストボックス３０内における塵埃処理を説明する図である。図１６（Ａ）ないし（Ｃ）と図１７（Ａ）ないし（Ｃ）のそれぞれは互いに対応している。
【００９６】
フィルタ装置Ｆとして組立てられた状態で、図１６（Ａ）に示すように、ダストボックス３０の塵埃入口部３１がブラシボックス２０の塵埃排出口２０６に挿入して塵埃排出口扉２０５を開放する。  
このとき図１７（Ａ）に示すように、ダストボックス３０内の第２の移動板３３は、戻しばねの弾性力により開いた状態である、ダストボックス３０内を一側部から他側部に亘って斜めに横切る位置にある。
【００９７】
図１６（Ｂ）に示すように、第１の移動板２９が移動してきて作動用突起ｔが塵埃入口部３１を構成する塵埃入口扉３２に突き当り、戻しばねの弾性力に抗して回動せしめる。塵埃入口部３１の傾斜開口部３１ａが開放され、第１の移動板によって押し出されてきた塵埃が傾斜開口部３１ａに投入される。
【００９８】
そして、塵埃入口扉３２の回動にともない掛止片が第２の移動板３３を戻しばねの弾性力に抗して回動付勢する。全ての塵埃はブラシボックス２０の塵埃排出口２０６とダストボックス３０の塵埃入口部３１を介して、ブラシボックス２０からダストボックス３０へ落とし込まれる。
【００９９】
図１７（Ｂ）に示すように、第２の移動板３３は塵埃入口部３１と所定の間隔を存して並行に、かつ長手方向に沿う位置に移動して、塵埃入口部３１の直下部を開放する。塵埃は、ダストボックス３０内の第２の移動板３３が開放した部位に落とし込まれることになる。
【０１００】
図１６（Ｃ）に示すように、タイミングをとってブラシ駆動部５８に逆回転の駆動信号が送られ、ねじ棒２６が逆回転して第１の移動板２９を逆方向へ移動せしめる。塵埃入口扉３２は戻しばねの弾性力により回動して傾斜開口部３１ａを閉成する。したがって、落とし込まれた塵埃が塵埃入口部３１から、再びブラシボックス２０内に戻ることはない。
【０１０１】
図１７（Ｃ）に示すように、第２の移動板３３に対する回動付勢力が除去されて戻しばねの弾性力が作用し、第２の移動板３３は塵埃入口部３１の直下部を越えて、ダストボックス３０内を斜めに横切るよう回動変位する。このとき、塵埃入口部３１からダストボックス３０内に落とし込まれた塵埃をダストボックス３０端部側へ移動せしめる。
【０１０２】
以上で、フィルタ組立て１３を１回転してフィルタ１４に付着する塵埃を除去し、ブラシボックス２０からダストボックス３０へ移動して貯留するフィルタ自動清掃動作が終了する。フィルタ自動清掃により、フィルタ１４に室内空気が円滑に流通し、かつ室内空気に含まれる塵埃が確実に捕捉される。
【０１０３】
所定期間毎に、もしくは適宜な設定で、再び上述のフィルタ自動清掃動作をなすとよい。ブラシ２４によりフィルタ１４から除去され、第１の移動板２９によりダストボックス３０内に落とし込まれた塵埃は、第２の移動板３３により順次、ダストボックス３０の隅部へ押し込まれ、ついには圧縮される。
【０１０４】
充分な量の塵埃がダストボックス３０内に貯留した状態にあれば、リモコンを操作して、グリル昇降機構１１を駆動し吸込みグリル１０を降下させる。吸込みグリル１０に取付けられるダストボックス３０は清掃ユニットフレーム４０に取付けられるブラシボックス２０から離反する。
【０１０５】
このとき、ダストボックス３０の塵埃入口部３１がブラシボックス２０の塵埃排出口２０６から抜け出ると同時に、塵埃排出口扉２０５が回動して塵埃排出口２０６を閉成する。したがって、たとえブラシボックス２０に塵埃が残留していても、塵埃排出口２０６からこぼれ落ちることは無い。
【０１０６】
ダストボックス塵埃入口部３１は、傾斜開口部３１ａが塵埃入口扉３２で閉塞されたままであるので、塵埃が抜けることも無い。吸込みグリル１０が充分な位置まで降下したら停止させ、ダストボックス３０を吸込みグリル１０から取外す。蓋体３１ａを開放し、ダストボックス３０内部に圧縮状態となって貯留されている塵埃を廃棄すればよい。
【０１０７】
再び、蓋体３１ａで閉成したダストボックス３０を吸込みグリル１０に組み込み、リモコンＲを操作してグリル昇降機構１１を駆動させ、吸込みグリル１０を上昇する。ダストボックス塵埃入口部３１がブラシボックス塵埃排出口２０６に挿入して、初期の状態に戻れば、これ以降は先に説明したように作用することとなる。
【０１０８】
本発明の天井埋込み形空気調和機Ｓに備えられるフィルタ装置Ｆは、以下に述べる特徴を有する。  
フィルタ押えＰを、フィルタ組立てＦの上面に取付けた。フィルタ１４の下面側からブラシ２４が接触し、フィルタ組立て１３は浮き上がろうとするが、フィルタ押えＰが確実に押えて、フィルタ組立て１３の円滑な回転動作を保証する。
【０１０９】
初期状態において、２本のブラシ２４をブラシ受け板１８の凹部に沿わせるようにした。ブラシ２４の毛先にストレスがかからず、長寿命化を保持できる。フィルタ１４から塵埃を除去するのに、ブラシ２４の毛先が少なくとも２〜３ｍｍはフィルタ１４に接触しなければならない。
【０１１０】
たとえば、ブラシ受け板１８がなく、初期状態においてもブラシ２４の毛先がフィルタ１４に接触した状態であると、ブラシ２４の毛先にストレスがかかり、早期に抜けたり変形して使用に耐えられなくなる虞れがある。
【０１１１】
ブラシボックス２０に２本のブラシ２４を備え、同時に回転駆動してフィルタ１４に付着する塵埃を除去するようにした。１本のブラシで行うよりも除去効果が高く得られる。また、フィルタ組立て１３を２回転すると、ブラシ２４からフィルタ１４に塵埃が付着する虞れがあるが、本装置では１回転だけでフィルタ１４から塵埃を完全除去する。
【０１１２】
フィルタ組立て１３の回転を停止したうえで、掻き落し板２８がブラシ２４の清掃作業を行うようにした。このときブラシ２４はブラシ受け板１８と対向し、フィルタ１４には接触していないので、ブラシ２４からフィルタ１４への塵埃の再付着を防止できる。
【０１１３】
掻き落し板２８が先導してブラシ２４から塵埃を掻き落した後、第１の移動板２９が移動してきてブラシボックス２０に溜まった塵埃を押し出すようにした。したがって、ブラシボックス２０内の全ての塵埃を確実にダストボックス３０へ移動することができる。
【０１１４】
円盤状のフィルタ組立て１３は、枠体１６の周面に沿って受けギヤ部１９を備え、フィルタ駆動部１５の駆動ギヤ１５Ｇと噛合するようにした。受けギヤ部１９には径方向にギヤ噛合による受け応力が発生し、上方からの受け応力が発生しないですむ。したがって、フィルタ組立て１３の回転精度が損なわれずにすむ。
【０１１５】
これに対して、たとえば枠体の上面に受けギヤ部を形成し、枠体の上方部位に駆動源を備えて、駆動ギヤを上部に、受けギヤ部２を下部として噛合する構成が考えられる。この場合は、駆動ギヤが枠体を上方から押し付けることとなり、枠体１６の円滑な回転が阻害されてしまう。
【０１１６】
ブラシボックス２０の下部にダストボックス３０一部を密着状態で配置した。ブラシボックス２０に備えたブラシ２４でフィルタ１４から除去した塵埃を、ダストボックス３０との密着部分から落とし込むことができる。したがって、ブラシボックス２０とダストボックス３０から外部へ漏れることなく、塵埃を確実に移動できる。
【０１１７】
ブラシボックス２０の塵埃排出口２０６に、ダストボックス３０の塵埃入口部３１を挿入し、この塵埃入口部３１には第１の移動板２９により開閉する塵埃入口扉２０５を備えた。したがって、一旦、ダストボックス３０に落下した塵埃が再び塵埃排出口２０６を介してブラシボックス２０に逆戻りすることがない。
【０１１８】
ダストボックス３０の塵埃入口部３１に塵埃入口扉３２を備え、この塵埃入口扉３２の開閉にリンクして第２の移動板３３を作動させるようにした。第２の移動板３３を回動変位させる駆動源として、特に駆動モータ等を備えることなく自然的に作動するので、簡単な構造でダストボックス３０内に効率よく塵埃を貯留できる。
【０１１９】
ブラシボックス２０に対してダストボックス３０を着脱自在とし、このダストボックス３０の着脱にともない、ブラシボックス２０の塵埃排出口２０６を開閉する塵埃排出口扉２０５を備えた。ダストボックス３０を取外したときに、塵埃排出口２０６付近に残った塵埃が室内に落下するのを確実に防止して、清潔度を保持できる。
【０１２０】
ダストボックス３０から貯留した塵埃を廃棄すること以外の作業が自動的に行われて、メンテナンスの容易化が図れる。塵埃の廃棄時においても通常姿勢のまま行えて無駄がなく、かつ手が汚れずにすみ清潔度を保持できる。
【０１２１】
なお、本発明は上述した実施の形態そのままに限定されるものではなく、実施段階ではその要旨を逸脱しない範囲で構成要素を変形して具体化できる。そして、上述した実施の形態に開示されている複数の構成要素の適宜な組み合わせにより種々の発明を形成できる。
【符号の説明】
【０１２２】
４…熱交換器、５…ドレンパン、３…送風機、１…天井板、１ａ…取付け用開口部、２…筐体、１２…吸込み口、８…吹出し口、７…化粧パネル、Ｓ…天井埋め込み形空気調和機、１４…フィルタ、１３…フィルタ組立て、１５…フィルタ駆動部（フィルタ駆動手段）、２４…ブラシ、５８…ブラシ駆動部（ブラシ駆動手段）、２０…ブラシボックス（塵埃受け部）、２０６…塵埃排出口、２９…第１の移動板（第１の塵埃移動手段）、３０…ダストボックス（塵埃貯留部）、３１…塵埃入口部、３２…塵埃入口扉、３３…第２の移動板（第２の塵埃移動手段）、２０５…塵埃排出口扉、１８…ブラシ受け板（遮蔽部）。
【図１】
2010216707.tif 000003
【図２】
2010216707.tif 000004
【図３】
2010216707.tif 000005
【図４】
2010216707.tif 000006
【図５】
2010216707.tif 000007
【図６】
2010216707.tif 000008
【図７】
2010216707.tif 000009
【図８】
2010216707.tif 000010
【図９】
2010216707.tif 000011
【図１０】
2010216707.tif 000012
【図１１】
2010216707.tif 000013
【図１２】
2010216707.tif 000014
【図１３】
2010216707.tif 000015
【図１４】
2010216707.tif 000016
【図１５】
2010216707.tif 000017
【図１６】
2010216707.tif 000018
【図１７】
2010216707.tif 000019